(57)【特許請求の範囲】
【請求項１】
開口部の一縁部側に着脱可能に取り付けられる取付部、およびこの取付部と一体に形成され前記開口部を開閉可能とするとともにその開口部の閉鎖方向に向けて弾性を有するカバー部を有するカバーと、
前記開口部の一縁部に取り付けられ、その開口部の一縁部から離間した位置に前記カバーの取付部を取り付ける取付具と
を具備していることを特徴とするカバー装置。
【請求項２】
取付部とカバー部との間に取付部より軟質で折曲可能とする軟質層が一体に形成されている
ことを特徴とする請求項１記載のカバー装置。
【請求項３】
カバー部は取付部側の基端から先端にかけて開口部と反対側に凸湾曲状に形成されている
ことを特徴とする請求項１または２記載のカバー装置。
【請求項４】
カバー部には取付部側の基端から先端にかけてスリットが形成されている
ことを特徴とする請求項１ないし３いずれか記載のカバー装置。
【請求項５】
取付部は挟持によって着脱可能に取り付けられる挟持構造を有している
ことを特徴とする請求項１ないし４いずれか記載のカバー装置。
【請求項６】
コンベヤフレームの開口部に取り付けられる
ことを特徴とする請求項１ないし５いずれか記載のカバー装置。
【発明の詳細な説明】
【０００１】
【発明の属する技術分野】
本発明は、開口部を覆うカバーを備えたカバー装置に関する。
【０００２】
【従来の技術】
従来、例えば、ローラコンベヤやベルトコンベヤなどのコンベヤにおいては、両側にコンベヤフレームが配置されるとともに、これら両側のコンベヤフレームが複数の横継ぎ部材によって一体的に連結されており、両側のコンベヤフレーム間に沿って複数のローラやベルト張設用ローラが並設されている。
【０００３】
コンベヤフレームは、例えば、外面側に開口部を有する断面略Ｃ字形に形成されており、開口部を通じて、コンベヤフレームと横継ぎ部材の端部とを固定するボルトや、コンベヤフレームに軸支されるローラの端部が露出される。
【０００４】
また、コンベヤにおいては、ローラを回転駆動するモータに電力を供給する動力線あるいは搬送物検知センサの信号線などの電気的な配線、搬送物のストッパ用やアキュームレーション用のエアなどの作動流体用の配管などが、コンベヤに沿って配線、配管されている。これら配線や配管は、一般的に、コンベヤフレームに沿って専用の止め具で固定されるか、コンベヤフレームやコンベヤフレームを支える脚材に取り付けられる専用のダクトに収納されている。また、配線や配管をコンベヤフレームの内側に通し、コンベヤフレームの側面に例えばねじ止め固定される金属板製の閉鎖カバーによって開口部を閉鎖するようにした構造もある。
【０００５】
【発明が解決しようとする課題】
しかしながら、従来の構造では、配線や配管のために専用の止め具やダクトを必要とし、また、コンベヤフレームの開口部が開口するので、開口部を通じて、コンベヤフレームと横継ぎ部材の端部とを固定するボルトや、コンベヤフレームに軸支されるローラの端部が露出し、コンベヤの外観が損なわれる。
【０００６】
また、コンベヤフレームの内側に配線や配管を通して閉鎖カバーで閉鎖する構造では、コンベヤフレームの開口部が閉鎖されてコンベヤの外観が向上するが、コンベヤフレームの内側に対する外部からの配線や配管、および外部に引き出す配線や配管は、コンベヤフレームや閉鎖カバーに孔や切り欠きを設ける必要があり、それらの加工を必要とし、加工部分が露出して美観が損なわれる問題を有し、また、コンベヤフレームの内側に通された配線や配管のメンテナンス時にはコンベヤフレームにねじ止め固定された閉鎖カバーを取り外さなければならず、メンテナンス性が悪い問題を有している。
【０００７】
本発明は、このような点に鑑みなされたもので、開口部を覆って外観を向上させるとともに、その開口部を容易に開閉できるカバー装置を提供することを目的とする。
【０００８】
【課題を解決するための手段】
請求項１記載のカバー装置は、開口部の一縁部側に着脱可能に取り付けられる取付部、およびこの取付部と一体に形成され前記開口部を開閉可能とするとともにその開口部の閉鎖方向に向けて弾性を有するカバー部を有するカバーと、
前記開口部の一縁部に取り付けられ、その開口部の一縁部から離間した位置に前記カバーの取付部を取り付ける取付具とを具備しているものである。
【０００９】
そして、カバーの取付部を開口部の一縁部に取り付けるだけで、カバー部で開口部を覆って外観が向上し、さらに、カバー部が開口部を開閉可能とするとともにその開口部の閉鎖方向に弾性を有するので、カバー部を弾性的に開閉動作させるだけで開口部の開閉が容易に可能であり、その開口部に対する例えば物品などの出し入れが容易になるとともに、カバー部の弾性によって開口部を閉鎖する状態が維持される。しかも、取付具により、開口部の一縁部とカバーの取付部との間に間隙が形成され、この間隙を通じて例えば物品などの出し入れが可能となる。
【００１０】
請求項２記載のカバー装置は、請求項１記載のカバー装置において、取付部とカバー部との間に取付部より軟質で折曲可能とする軟質層が一体に形成されているものであり、カバー部を取付部に対して容易に折り曲げられ、カバー部の開閉が容易に可能となる。
【００１１】
請求項３記載のカバー装置は、請求項１または２記載のカバー装置において、カバー部は取付部側の基端から先端にかけて開口部と反対側に凸湾曲状に形成されているものであり、開口部の閉鎖方向に向けた弾性が得られ、開口部を閉鎖する状態が確実に維持される。
【００１２】
請求項４記載のカバー装置は、請求項１ないし３いずれか記載のカバー装置において、カバー部には取付部側の基端から先端にかけてスリットが形成されているものであり、開口部がその開口方向に凸状または凹状に湾曲した形状で、その湾曲に沿ってカバーが取り付けられる場合でも、すなわちカバーが湾曲された場合でも、スリットで分割された各カバー部の部分が容易に開閉可能となる。
【００１３】
請求項５記載のカバー装置は、請求項１ないし４いずれか記載のカバー装置において、取付部は挟持によって着脱可能に取り付けられる挟持構造を有しているものであり、取付部を開口部の一縁部側に容易に着脱することが可能となる。
【００１４】
請求項６記載のカバー装置は、請求項１ないし５いずれか記載のカバー装置において、コンベヤフレームの開口部に取り付けられるものであり、カバー部を開閉することによってコンベヤのメンテナンスが容易に可能となる。
【００１５】
【発明の実施の形態】
以下、本発明の実施の形態を図面を参照して説明する。
【００１６】
まず、図１ないし図３に第１の実施の形態を示す。
【００１７】
図３には、コンベヤとして直線搬送用のローラコンベヤを示し、両側にコンベヤフレーム１が配置されているとともに、これら両側のコンベヤフレーム１が図示しない複数の横継ぎ部材によって一体的に連結されており、両側のコンベヤフレーム１間に沿って搬送面を構成する複数のローラ２が回転自在に並列に配列されている。また、図示していないが、モータを駆動源とする駆動機構によって各ローラ２に駆動力が伝達され、各ローラ２が回転駆動されて、これらローラ２上に載置された搬送物が搬送される。
【００１８】
図１および図２において、コンベヤフレーム１は、他方のコンベヤフレーム１に対向する内側面部３、この内側面部３の上下縁から外側に向かう上面部４および下面部５、これら上面部４および下面部５の外側から互いに対向して突出する外面側の上下の縁部６，７、これら上下の縁部６，７間にコンベヤフレーム１の長手方向に沿って開口する開口部８を有し、断面略Ｃ字形で搬送方向に沿って長く形成され、内側に空間部９が形成されている。内側面部３には、横継ぎ部材の端部がボルト止めされるとともに、ローラ２の端部が取り付けられる。
【００１９】
また、コンベヤフレーム１には開口部８を覆うカバー装置（コンベヤ用カバー装置）が取り付けられており、このカバー装置10は取付具11およびカバー12を備えている。
【００２０】
取付具11は、コンベヤフレーム１の長手方向に沿って複数箇所に間隔をおいて配置されるもので、例えば金属製で上方に開口された断面略コ字形に形成されている。取付具11の一端には下方へ向けて開口する略Ｕ字形に折曲されてコンベヤフレーム１の下側の縁部７に上方から着脱可能に係合される係合溝13を有するフレーム取付部14が形成され、このフレーム取付部14から外方へ突出部15が形成され、この突出部15の他端には上方に略Ｌ字形に折曲されてカバー12が着脱可能に取り付けられるカバー取付部16が形成されている。そして、取付具11によって、コンベヤフレーム１とカバー12との間に空間部17が形成されているとともに、複数の取付具11間で空間部17の下面に下面開口18が形成されている。
【００２１】
カバー12は、コンベヤフレーム１の長手方向に沿って開口部８を覆うもので、取付具11を介してコンベヤフレーム１の開口部８の一縁部側すなわち下側の縁部７側に取り付けられる取付部19、およびこの取付部19から突設されたカバー部20を有するとともに、取付部19とカバー部20との間にはそれら取付部19とカバー部20とを連結する軟質層21を有し、取付部19およびカバー部20が例えば硬質樹脂製、軟質層21が取付部19およびカバー部20より軟質の例えば軟質塩化ビニールなどの軟質樹脂製の複合構造にて一体に形成されている。
【００２２】
カバー12の取付部19は、挟持によって着脱可能に取り付けられる挟持構造を有するもので、下方に向けて開口する断面略Ｕ字形に形成され、取付具11のカバー取付部16に上方から着脱可能に係合される係合溝22が形成されている。カバー部20は、取付部19側の基端から上方の先端にかけて開口部８と反対側に凸湾曲状すなわち上端側がコンベヤフレーム１に接近するように湾曲状に形成され、取付部19に対して上端側がコンベヤフレーム１に接近する閉鎖方向に弾性を有し、コンベヤフレーム１の開口部８を閉鎖するように構成されているとともに、取付部19との連結部付近すなわち軟質層21を支点として弾性に抗して図１に２点鎖線で示すように開放移動可能に構成されている。すなわち、カバー部20は、コンベヤフレーム１の開口部８を開閉可能とするとともに閉鎖方向に弾性を有している。
【００２３】
そうして、コンベヤフレーム１にカバー装置10が装着された状態において、ローラ２を回転駆動するモータに電力を供給する動力線あるいは搬送物の検知用のセンサの信号線などの電気的な配線、搬送物のストッパ用やアキュームレーション用のエアなどの作動流体用の配管などをコンベヤフレーム１に沿って配置する場合には、カバー12のカバー部20を取付部19との連結部付近すなわち軟質層21を支点として弾性に抗して図１に２点鎖線で示すように開放することで、コンベヤフレーム１の空間部９またはコンベヤフレーム１とカバー部20との間の空間部17に配線や配管を収納配置する。カバー部20の開放を解除することで、弾性によってカバー部20がコンベヤフレーム１の開口部８を閉鎖する元の状態に復帰する。また、カバー12の取付部19とコンベヤフレーム１との間の下面開口18を通じて、配線や配管を各空間部９，17に収納配置することもできる。また、カバー12を外した状態で配線や配管を収納配置した後、カバー12を取付具11に取り付けるようにすることもできる。
【００２４】
また、空間部９，17に収納配置された配線や配管をコンベヤフレーム１の任意の場所から引き出す場合には、カバー12のカバー部20とコンベヤフレーム１との間から上方に引き出すか、カバー12の取付部19とコンベヤフレーム１との間の下面開口18を通じて下方へ引き出す。
【００２５】
したがって、コンベヤフレーム１の開口部８をカバー12で閉鎖するので、コンベヤフレーム１の内側を隠蔽し、コンベヤの外観を向上させることができ、しかも、コンベヤフレーム１の開口部８を閉鎖するカバー12のカバー部20を開閉可能でかつ閉鎖方向に弾性を有するように構成したので、弾性に抗してカバー部20を開くことにより、コンベヤフレーム１の内側に対して配線や配管を容易に出し入れでき、そのため、従来のように、コンベヤフレーム１やカバー12に孔や切り欠きを設ける必要がなく、それらの加工を不要とし、加工部分が露出して美観が損なわれるような問題を解決でき、さらに、カバー12の取付後も、カバー部20を容易に開閉できるので、メンテナンスを容易にできる。
【００２６】
カバー12の取付部19とカバー部20との間に取付部19より軟質で折曲可能とする軟質層21を一体に形成したので、カバー部20を取付部19に対して容易に折り曲げることができ、カバー部20を容易に開閉できる。
【００２７】
カバー12のカバー部20は取付部19側の基端から先端にかけて開口部８と反対側に凸湾曲状に形成されているので、開口部８の閉鎖方向に向けた弾性を得られ、開口部８を閉鎖する状態を確実に維持できる。
【００２８】
カバー12の取付部19には挟持によって着脱可能に取り付けられる挟持構造を有するので、取付部19を開口部８の一縁部側に容易に着脱することができる。
【００２９】
一端がコンベヤフレーム１の開口部８の下側の縁部７に着脱可能に取り付けられるとともに、他端がコンベヤフレーム１の側方に離反されてその他端にカバー12の取付部19が着脱可能に取り付けられる取付具11を、コンベヤフレーム１の長手方向に沿って複数配置するので、隣接する取付具11間でかつコンベヤフレーム１とカバー12との間に下方に開口する下面開口18が形成され、上方のカバー部20の部分に加えて、その下面開口18から下方へ配線や配管を容易に出し入れすることができる。
【００３０】
コンベヤフレーム１とカバー12と取付具11との間に空間部17を形成するので、この空間部17に配線や配管を収納できるとともに、例えばコンベヤフレーム１の内側の空間部９に動力線を収納し、コンベヤフレーム１の外側の空間部17に信号線を収納するというように区分収納ができる。また、この区分収納では、配線と配管を区分収納するようにしてもよい。
【００３１】
次に、図４および図５に第２の実施の形態を示す。
【００３２】
この実施の形態では、図４に示すように、コンベヤとしてカーブ搬送用のローラコンベヤを示し、両側に配置されるコンベヤフレーム１がそれぞれ同心円の円弧状に湾曲形成され、これら両側のコンベヤフレーム１間に沿って搬送面を構成する複数のテーパ状のローラ２が回転自在に配列されている。
【００３３】
内径側（内側）のコンベヤフレーム１の凹状に湾曲した外面の開口部８を覆ってカバー装置が取り付けられているとともに、外径側（外側）のコンベヤフレーム１の凸状に湾曲した外面の開口部８を覆ってカバー装置が取り付けられている。カバー装置のカバー12には、図５に示すように、カバー部20の取付部19側の基端から先端にかけて複数のスリット23が形成され、カバー部20がその長手方向に沿って複数に分割形成されている。
【００３４】
そして、カバー部20の取付部19側の基端から先端にかけて複数のスリット23を形成したことにより、コンベヤフレーム１の開口部８がその開口方向に凸状または凹状に湾曲した形状で、その湾曲に沿ってカバー12が取り付けられる場合でも、すなわちカバー12が湾曲された場合でも、スリット23で分割された各カバー部20の部分を容易に開閉できる。
【００３５】
なお、上述した各実施の形態では、カバー12の取付部19を開口部８，39の下側の縁部に取り付けたが、上側の縁部に取り付けるようにしてもよく、また、取付部19は例えば両面接着テープや磁石の磁力で着脱可能に取り付けるようにしてもよく、さらに、カバー部20の閉塞状態をそれら両面接着テープや磁石の磁力で維持するようにしてもよい。
【００３６】
また、上述した各実施の形態では、各種コンベヤのコンベヤフレームにカバー装置を適用した場合を示したが、これに限らず、例えばコンベヤの配電盤などの電気系統や制御系統を収納する収納ボックスなどの開口部にカバー装置を適用することもでき、この場合、電気的チェックやメンテナンスを容易にできる。
【００３７】
また、上述した各実施の形態ではコンベヤにカバー装置を適用した場合を示したが、これに限らず、開口部を有する機械や物品に適用することもでき、高い汎用性を得ることができる。
【００３８】
【発明の効果】
請求項１記載のカバー装置によれば、カバーの取付部を開口部の一縁部に取り付けるだけで、カバー部で開口部を覆って外観を向上させることができ、さらに、カバー部が開口部を開閉可能とするとともにその開口部の閉鎖方向に弾性を有するので、カバー部を弾性的に開閉動作させるだけで開口部を容易に開閉でき、その開口部に対する例えば物品などの出し入れを容易にできるとともに、カバー部の弾性によって開口部を閉鎖する状態を維持できる。しかも、開口部の一縁部に取り付けられた取付具により、その開口部の一縁部から離間した位置にカバーの取付部を取り付けるので、開口部の一縁部とカバーの取付部との間に間隙が形成され、この間隙を通じて例えば物品などを出し入れできる。
【００３９】
請求項２記載のカバー装置によれば、請求項１記載のカバー装置の効果に加えて、取付部とカバー部との間に取付部より軟質で折曲可能とする軟質層を一体に形成したので、カバー部を取付部に対して容易に折り曲げることができ、カバー部を容易に開閉できる。
【００４０】
請求項３記載のカバー装置によれば、請求項１または２記載のカバー装置の効果に加えて、カバー部は取付部側の基端から先端にかけて開口部と反対側に凸湾曲状に形成されているので、開口部の閉鎖方向に向けた弾性を得られ、開口部を閉鎖する状態を確実に維持できる。
【００４１】
請求項４記載のカバー装置によれば、請求項１ないし３いずれか記載のカバー装置の効果に加えて、カバー部の取付部側の基端から先端にかけてスリットを形成したので、開口部がその開口方向に凸状または凹状に湾曲した形状で、その湾曲に沿ってカバーが取り付けられる場合でも、すなわちカバーが湾曲された場合でも、スリットで分割された各カバー部の部分を容易に開閉できる。
【００４２】
請求項５記載のカバー装置によれば、請求項１ないし４いずれか記載のカバー装置の効果に加えて、取付部には挟持によって着脱可能に取り付けられる挟持構造を有するので、取付部を開口部の一縁部側に容易に着脱することができる。
【００４３】
請求項６記載のカバー装置によれば、請求項１ないし５いずれか記載のカバー装置の効果に加えて、コンベヤフレームの開口部に取り付けられるので、カバー部を開閉することによってコンベヤのメンテナンスを容易にできる。
【図面の簡単な説明】
【図１】本発明の一実施の形態を示すコンベヤフレームに適用されたカバー装置の断面図である。
【図２】同上コンベヤフレームに適用されたカバー装置の側面図である。
【図３】同上コンベヤの平面図である。
【図４】本発明の第２の実施の形態を示すコンベヤの平面図である。
【図５】同上コンベヤフレームに適用されたカバー装置の側面図である。
【符号の説明】
１    コンベヤフレーム
８    開口部
11    取付具
12    カバー
19    取付部
20    カバー部
21    軟質層
23    スリット
31    コンベヤフレーム
36    コンベヤフレームの一部を構成する枠体
39    開口部
【図１】
0003599314.tif 000002
【図２】
0003599314.tif 000003
【図３】
0003599314.tif 000004
【図４】
0003599314.tif 000005
【図５】
0003599314.tif 000006